(57)【要約】【課題】取鍋精錬炉用のヤード内に移動交換配置可能な小ロット用電気炉を付設し、取鍋精錬炉用の電極装置を改良することで、取鍋精錬炉用の電極装置やその他の付帯設備を共用可能として建設費の負担を削減した小口の電気炉装置を提供する。【解決手段】移動交換型の小ロット用電気炉１のスラグライン部２を外方に膨らませた形状として取鍋精錬炉ステーションに併設し、取鍋精錬炉用の電極構造体３の電極ピッチサークルを小径化し、この取鍋精錬炉用の電極構造体３を該移動交換型の小ロット用電気炉１に併用可能としてなる取鍋精錬炉に併設の移動交換型の小ロット用電気炉１。【選択図】        図１
2004361002.tif 000002
【特許請求の範囲】
【請求項１】
移動交換型の小ロット用電気炉のスラグライン部を外方に膨らませた形状として取鍋精錬炉ステーションに併設し、該取鍋精錬炉用の電極構造体の電極ピッチサークルを小径化し、該小径化した電極ピッチサークルの取鍋精錬炉用の電極構造体を該移動交換型の小ロット用電気炉に併用可能としたこと特徴とする取鍋精錬炉に併設の移動交換型の小ロット用電気炉。
【請求項２】
請求項１に記載の移動交換型の小ロット用電気炉は、さらに除滓用の傾動設備を備えたことを特徴とする取鍋精錬炉に併設の移動交換型の小ロット用電気炉。
【請求項３】
請求項１又は請求項２に記載の移動交換型の小ロット用電気炉は、随時クレーンにより移動可能であることを特徴とする取鍋精錬炉に併設の移動交換型の小ロット用電気炉。
【請求項４】
請求項１ないし３のいずれか１項に記載の移動交換型の小ロット用電気炉は、炉底に鋳込み用のスライディングノズルを有することを特徴とする取鍋精錬炉に併設の移動交換型の小ロット用電気炉。
【発明の詳細な説明】
【０００１】
【発明の属する技術分野】
この発明は取鍋精錬炉ステーションにおける小ロットの合金鋼種を溶解するための移動可能な電気炉に関する。
【０００２】
【従来の技術】
ステンレス・耐熱鋼などの特殊鋼の高合金鋼種は、一般に電気炉によるスクラップ溶解工程により製造されるが、近年の当該鋼種の受注は多種多彩にわたり、その大半は２０ｔ／月未満の小ロットのものである。ところで、これらのステンレスや耐熱鋼などの特殊鋼の高合金鋼種は、上記したように、電気炉などでスクラップ溶解した後、さらに取鍋精錬炉などで精錬した後、鋳造設備で鋼塊や連鋳片とされる。
【０００３】
ところで電気炉設備は近年は大型の量産設備に移行しており、小ロットの特殊鋼を溶解するためには大型、例えば６０ｔの電気炉で溶解して分湯出鋼するなどの方策をとる。しかし、このような大型の電気炉で溶解して分湯出鋼する方策は、大型電気炉であるため製造コストなどに大きな負担を及ぼしている。一方、小型電気炉を大型電気炉の設備とは別に新設するともなれば、その付帯設備やその他小型用の設備の建設場所を必要とし、それらの建設費は莫大なもので負担が大きい問題がある。
【０００４】
【発明が解決しようとする課題】
そこで、本発明は、新たな小型電気炉を従来の大型の電気炉設備と別に新設することなく、従来の大型の電気炉設備はそのままにし、取鍋精錬炉用のヤード内に移動交換配置可能な小ロット用電気炉を付設し、取鍋精錬炉用の電極装置を改良することで、取鍋精錬炉用の電極装置やその他の付帯設備を共用可能として建設費の負担を削減した装置を提供するものである。
【０００５】
【課題を解決するための手段】
上記の課題を解決するための本発明の手段は、請求項１の発明では、移動交換型の小ロット用電気炉のスラグライン部を外方に膨らませた形状として取鍋精錬炉ステーションに併設し、該取鍋精錬炉用の電極構造体の電極ピッチサークルを小径化し、該小径化した電極ピッチサークルの取鍋精錬炉用の電極構造体を該移動交換型の小ロット用電気炉に併用可能としたこと特徴とする取鍋精錬炉に併設の移動交換型の小ロット用電気炉である。
【０００６】
請求項２の発明では、請求項１の手段における移動交換型の小ロット用電気炉は、さらに除滓用の傾動設備を備えたことを特徴とする取鍋精錬炉に併設の移動交換型の小ロット用電気炉である。
【０００７】
請求項３の発明では、請求項１または請求項２の手段における移動交換型の小ロット用電気炉は、随時クレーンにより移動可能であることを特徴とする取鍋精錬炉に併設の移動交換型の小ロット用電気炉である。
【０００８】
請求項４の発明では、請求項１ないし３のいずれか１項の手段における移動交換型の小ロット用電気炉は、炉底に鋳込み用のスライディングノズルを有することを特徴とする取鍋精錬炉に併設の移動交換型の小ロット用電気炉である。
【０００９】
【発明の実施の形態】
本発明の実施の形態について図面を参照して説明すると、大型の取鍋精錬炉に併設の移動可能な、例えば３０トン未満の、移動交換型の小ロット用電気炉１である。従って、この移動交換型の小ロット用電気炉１はその設置位置を移動して交換できるタイプの小ロット用電気炉１である。この小ロット用電気炉１は取鍋精錬炉ステーションで取鍋精錬炉に併設される。しかも取鍋精錬炉の電極構造体３をそのまま適用して使用できるようになっている。そこでこの小ロット用電気炉１は炉内のスラグライン部２の部分が外方に張り出して膨らませた形状になっている。さらに、この膨らませた炉内に設置出来るように取鍋精錬炉の電極構造体３の電極ピッチサークルは小径化され、この電極構造体３が移動交換型の小ロット用電気炉１にも適用できるようになっている。図１では炉蓋６を被せているが、操業中は炉蓋６の代わりに集塵装置を電極構造体３の上に配設している。
【００１０】
この移動交換型の小ロット用電気炉１は、設置位置を移動して交換するために取鍋炉台車７に搭載して移動して交換可能である。もちろん、クレーンによる交換をすることもできる。このように移動交換型の小ロット用電気炉１は移動が容易であるので、炉体を交換することで１０〜４０ｔの範囲の小容量の溶解を可能とする。従って、冷鉄源または大型溶解炉からの小容量の溶鋼をこの移動可能な小ロット用電気炉１に受け入れて溶解あるいは精錬を可能とする。このように従来の固定設備の電気炉と異なり、本発明の小ロット用電気炉１は上記したように取鍋炉台車７やクレーンにて随時移動することが可能である。さらにこの移動交換型の小ロット用電気炉１において、小容量の取鍋精錬も実施し得るものである。
【００１１】
さらにこの移動交換型の小ロット用電気炉１は、精錬の終了した溶鋼を炉底４の下部に設置の取鍋８に出鋼可能とするため、炉底４にスライディングノズル５を設けている。
【００１２】
図２は、小ロット用電気炉１を前方に移動した後に約１５°ほど傾動して除滓をする様子を示す図である。
【００１３】
以上のように、従来の取鍋精錬炉ステーションには、電気炉に必要な溶解電力投入設備や冷却水設備や集塵装置や傾動装置などがある。本発明の移動交換型の小ロット用電気炉１はこのような既存の従来の固定式の電気炉設備を応用するものである。従って、これらの電気炉あるいは取鍋精錬炉を持つ工場であれば、本発明の移動交換型の小ロット用電気炉１は設置可能な設備である。
【００１４】
【発明の効果】
以上に説明したように、本発明の移動交換型の小ロット用電気炉は取鍋精錬炉ステーションに移動して設置可能とし、取鍋精錬炉ステーションの建屋やその付帯設備や電気炉設備など、取鍋精錬炉本体以外は既設の設備を利用することで、設備コストを削減して多種多彩な特殊鋼や合金鋼の小ロット溶解が可能であり、大型電気炉による鋼塊等の仕掛けを大幅に削減することができ、顧客のニーズに合わせて溶解の自由度を広げることができるなど優れた効果を奏するものである。
【図面の簡単な説明】
【図１】本発明の移動交換型の小ロット用電気炉の設置状況を模式的に示す正面図である。
【図２】上記の移動交換型の小ロット用電気炉の排滓状況を模式的に示す側面図である。
【符号の説明】
１  本発明の小ロット用電気炉
２  スラグライン部
３  電極構造体
４  炉底
５  スライディングノズル
６  炉蓋
７  取鍋炉台車
８  取鍋
９  排滓装置
【図１】
2004361002.tif 000003
【図２】
2004361002.tif 000004